(57)【要約】【課題】  予め車椅子本体に専用部材の取り付けなどの加工を施す必要がなく、簡便な操作で取り付け及び取り外しができる、車椅子に取り付け可能な荷物載置用部品と、それを備えた車椅子を提供すること。【解決手段】  ほぼコ字形状のパイプからなり、両端部に車椅子のキャスターパイプ９の頂部に装着可能な嵌合部材４ａ、４ｂと、ほぼ中央に載置部材６ａ、６ｂを設けることで、車椅子に取り付け可能な荷物載置用部品１を構成する。この荷物載置用部品１には、長さ調整部５を設けることで、幅や高さを調整することが可能で、大きさの異なる車椅子や体格の異なる利用者に適合できる。【選択図】図１
2009112759.tif 000002
【特許請求の範囲】
【請求項１】
車椅子のキャスターパイプ頂部に装着可能な嵌合部材を有する第一の棒状部材と、長さが前記車椅子のキャスターパイプの取り付け間隔とほぼ同じで、両端に前記第一の棒状部材を一体に接合してなる第二の棒状部材と、前記第二の棒状部材に取り付けられ、荷物を積載することが可能な載置部材を有することを特徴とする、車椅子に取り付け可能な荷物載置用部品。
【請求項２】
前記第一の棒状部材及び第二の棒状部材の少なくともいずれかのほぼ中央部に、長さ調整部を有することを特徴とする、請求項１に記載の車椅子に取り付け可能な荷物載置用部品。
【請求項３】
請求項１または請求項２に記載の荷物載置用部品を備えたことを特徴とする車椅子。
【発明の詳細な説明】
【技術分野】
【０００１】  本発明は簡単な操作で車椅子に取り付けられる荷物載置用部品と、それを備えた車椅子に関するものである。
【背景技術】
【０００２】  車椅子の利便性を向上するため、様々な付属品が考案され、実用化されている。その中には荷物の載置台があり、利用者が買い物などを行う際に、車椅子を操作しながら、荷物を安定した状態に保持するために、不可欠の付属品となっている。【０００３】  例として特許文献１には、車椅子のフレームに予め専用の部材を設け、テーブルの取り付けを可能とした車椅子が開示されている。また、特許文献２には、折りたたみが可能な構造で、後部に荷物の載置面を設けた車椅子が開示されている。また、特許文献３には、アームレストにテーブルを取り付ける機構を設けた車椅子が開示されている。【０００４】  しかしながら、以上に述べた従来の車椅子用テーブルなどは、車椅子車体フレームやアームレストに、予め専用の部材を、ネジなどを用いて取り付ける必要があり、テーブルなどを使用しないときでも、そのまま車椅子に取り付けられたままで、車椅子操作時に邪魔になり、本来の車椅子操作時には不要の物である。【０００５】
【特許文献１】  特開２００１−０１７４７４号公報
【特許文献２】  特開２００６−２９６７８８号公報
【特許文献３】  特開２００７−０６８８２６号公報
【発明の開示】
【発明が解決しようとする課題】
【０００６】  従って、本発明の課題は、予め車椅子本体に専用部材の取り付けなどの加工を施す必要がなく、簡便な操作で取り付け及び取り外しができる、車椅子に取り付け可能な荷物載置用部品と、それを備えた車椅子を提供することにある。
【課題を解決するための手段】
【０００７】  本発明は、車椅子の構成要素としてキャスターパイプがあり、キャスターパイプの殆どが、頂部が外部に露出した状態で、しかも接地面に対して垂直に設けられた構造になっていることに着目した結果なされたものである。つまり、本発明においては、上述の課題を解決するため、車椅子車体に取り付けられているキャスターパイプ自体を、荷物載置台の取り付け部材として利用する。【０００８】  即ち、本発明は、車椅子のキャスターパイプ頂部に装着可能な嵌合部材を有する第一の棒状部材と、長さが前記車椅子のキャスターパイプの取り付け間隔とほぼ同じで、両端に前記第一の棒状部材を一体に接合してなる第二の棒状部材と、前記第二の棒状部材に取り付けられ、荷物を積載することが可能な載置部材を有することを特徴とする、車椅子に取り付け可能な荷物載置用部品である。【０００９】  また本発明は、前記第一の棒状部材及び第二の棒状部材の少なくともいずれかのほぼ中央部に、長さ調整部を有することを特徴とする、前記の車椅子に取り付け可能な荷物載置用部品である。【００１０】  また本発明は前記の荷物載置用部品を備えたことを特徴とする車椅子である。
【発明の効果】
【００１１】  本発明の荷物載置用部品の第一の利点は、既存の車椅子用テーブルに比べて、使用しないときに不要な、受け金具などの専用部材を車椅子本体に取り付けなくても済むことにある。従って、予め受け金具を取り付けなくとも、本発明の車椅子用荷物載置部品を使用し、その上に買物のカゴを置いたり、テーブル用板を取り付けたりして使用できる。【００１２】  また、車椅子本体のキャスターパイプは、キャスターの性能を引き出す上から、接地面に対して垂直に取り付けられているのが普通である。従って、本発明の荷物載置用部品の第二の利点は、キャスターパイプの頂部に嵌合して使用するため、取り付けるだけで必然的に荷物載置台として必要な水平面を確保することができることにある。【００１３】  また、本発明の荷物載置用部品おいては、ほぼ中央部にネジを用いた長さ調整部を取り付けることで、車椅子の大きさにより、キャスターの取り付け間隔が変化しても適合が可能である。
【発明を実施するための最良の形態】
【００１４】  次に本発明の実施の形態を図面に基づいて説明する。図１は本発明の荷物載置用部品の基本的な構成を示す斜視図である。図１において、１は荷物載置用部品、２ａ、２ｂは第一の棒状部材、３は第二の棒状部材、４ａ、４ｂは嵌合部材、５は長さ調整部、６ａ、６ｂは載置部材、７ａ、７ｂは荷物を固定するためのピンである。【００１５】  第一の棒状部材２ａ、２ｂと第二の棒状部材３は、金属製のパイプで作製することができ、１本の金属パイプに折り曲げ加工を施すことで作製したり、別個に調製した金属パイプを溶接などの方法で接合したりすることで得られる。また、図１に示した例では、第二の棒状部材３のほぼ中央部に、長さ調整部５を設けている。【００１６】  長さ調整部５は、別個の２本のパイプの嵌合の深さで全体の長さを調整し、ネジで固定する構造となっている。この長さ調整部５により、荷物載置用部品１の幅を調整し、車椅子に装着する際の、キャスターの取り付け間隔の相違に適合できる。【００１７】  なお、ここでは長さ調整部をネジで固定する機構とする例を示したが、予めパイプ嵌合部の適当な位置に穴を設けておくことにより、ピンを挿入するという簡便な方法で固定することも可能である。また、図１には示していないが、第一の棒状部材２ａ、２ｂにも同様の構造を付与することにより、荷物載置用部品１の高さを調整できるようにすることも可能である。【００１８】  載置部材６ａ，６ｂは、ほぼ中央の部分を軸として、第二の棒状部材３に回転可能に取り付ける構造にすると、使用状態では、第二の棒状部材３に垂直に保持して用いることができ、非使用時は、第二の棒状部材３に平行となるように回転し、収納場所を拡げないようにできる。また、ピン７ａ、７ｂを設けることで、荷物を置いた際に、ずり落ちるのを防止でき、両端部を上方向に曲げておくことで、載置部材６ａ，６ｂの長さ方向の、荷物の位置ずれを防止することもできる。【００１９】  また図２は、本発明の荷物載置用部品１を車椅子に取り付けた状態を示す図である。図２において、８はキャスター、９はキャスターパイプ、１０は買物籠である。嵌合部材４ａ、４ｂの先端には、キャスターパイプの外径に適合した内径の中空部が設けてあり、この図に示したように、キャスターパイプ９の頂部に嵌合して、荷物載置用部品１を車椅子に装着する。そして、買物籠１０を載置部材６ａ、６ｂの上に載せて用いることができる。【００２０】  以上に説明したように本発明によれば、簡単な構造で、簡単に車椅子に取り付けることが可能な荷物載置用部品と、それを用いた車椅子を提供することができる。これによって、車椅子の有用性が増加し、利用者の利便性向上に寄与するところは大きいと言える。【００２１】  なお、本発明は、前記具体例に限定されるものではなく、例えば前記の載置部材６ａ、６ｂの代替としてテーブル板を使用するなどの、本発明の要旨を逸脱しない範囲の設計変更があっても、本発明に含まれる。即ち、本技術分野における通常の知識を有する者であれば想到し得る、各種変形、修正を含むことは勿論である。
【図面の簡単な説明】
【００２２】
【図１】  本発明の荷物載置用部品の基本的な構成を示す斜視図。
【図２】  本発明の荷物載置用部品を車椅子に取り付けた状態を示す図。
【符号の説明】
【００２３】  １  荷物載置容易部品
２ａ，２ｂ  第一の棒状部材
３  第二の棒状部材
４ａ，４ｂ  嵌合部材
５  長さ調整部
６ａ，６ｂ  載置部材
７ａ，７ｂ  ピン
８  キャスター
９  キャスターパイプ
１０  買物籠
【図１】
2009112759.tif 000003
【図２】
2009112759.tif 000004